(57)【要約】【課題】色相の特性に適した色分類が可能な色分類装置等を提供する。【解決手段】入力されたカラー画像データを構成する単位データの色相を判定する色相判定手段と、単位データの彩度を判定する彩度判定手段と、複数に分割された色相毎に閾値を記憶する閾値記憶手段と、判定された色相とあらかじめ指定された色相とを比較する色相比較手段と、判定された彩度と判定された色相に対応する上記閾値とを比較する彩度比較手段と、色相比較手段による比較結果と彩度比較手段による比較結果とに基づいて単位データを抽出色か非抽出色かに分類する分類手段とを備える色分類装置等を提供する。【選択図】図４
2007228115.tif 000002
【特許請求の範囲】
【請求項１】
入力されたカラー画像データを構成する単位データの色相を判定する色相判定手段と、
上記単位データの彩度を判定する彩度判定手段と、
複数に分割された色相毎に閾値を記憶する閾値記憶手段と、
上記判定された色相とあらかじめ指定された色相とを比較する色相比較手段と、
上記判定された彩度と、上記判定された色相に対応する上記閾値とを比較する彩度比較手段と、
上記色相比較手段による比較結果と、上記彩度比較手段による比較結果とに基づいて、上記単位データを抽出色か非抽出色かに分類する分類手段と、
を備えた色分類装置。
【請求項２】
さらに、上記抽出色に分類された単位データと非抽出色に分類された単位データとをそれぞれ異なる色に変換する変換手段と、
上記変換手段にて変換された単位データを出力する出力手段と、
を備えた請求項１記載の色分類装置。
【請求項３】
請求項１又は２に記載の色分類装置を備えた画像形成装置。
【請求項４】
入力されたカラー画像データを構成する単位データの色相を判定する色相判定ステップと、
上記単位データの彩度を判定する彩度判定ステップと、
上記判定された色相とあらかじめ指定された色相とを比較する色相比較ステップと、
上記判定された彩度と、複数に分割された色相毎に設けられた閾値のうち上記判定された色相に対応する閾値とを比較する彩度比較ステップと、
上記色相比較ステップによる比較結果と、上記彩度比較ステップによる比較結果とに基づいて、上記単位データを抽出色か非抽出色かに分類する分類ステップと、
を備えた色分類方法。
【発明の詳細な説明】
【技術分野】
【０００１】
本発明は、デジタル複写機、プリンタ、スキャナなどの画像形成装置、及び当該画像形成装置に備えられる色分類装置、これらに用いられる色分類方法に関し、詳しくはカラー画像を二色画像に変換・出力する色分類装置、色分類方法及び画像形成装置に関する。
【背景技術】
【０００２】
近年では、モノクロ画像を出力するモノクロ印刷機に代わり、フルカラー画像を出力できるフルカラー印刷機が増加している。フルカラー画像はモノクロ画像よりも見栄えがよく、またモノクロ画像では表現できなかった点まで表現できるため、そのシェアを増加させている。
【０００３】
一方で、フルカラー画像は一枚あたりの出力単価が高いという問題がある。そこで、モノクロ画像に１色を加えた二色画像を出力可能とすることで、コスト面と表現力とのバランスを担保している。
【０００４】
二色画像はフルカラー画像からの減色処理などにより得られるが、その処理方法によっては同じ二色画像であってもその表現力がまったく異なるのである。
【０００５】
二色画像を得る技術として、例えば特開平８−８４２６８号公報がある。色相に対する濃度分布を求めることでカラー画像原稿の特徴点を求め、その情報から２色分離を行うものである。
【特許文献１】特開平８−８４２６８号公報
【発明の開示】
【発明が解決しようとする課題】
【０００６】
しかしながら、上記従来技術では、未だ次の課題が残されている。
【０００７】
すなわち、二色画像において表現上特に重要視すべき点は、カラー領域とグレー領域との境界である。この境界の設定がうまくされていない場合、二色画像はグレー領域が多すぎて暗くなったり、あるいはカラー領域が多すぎて輪郭が不明瞭になったりする。
【０００８】
これに対して、人の目は色相によってグレー領域の適正度合いが異なる。グレー領域が少なくなるように色分類した場合、例えば色相がイエローでは画像が明るくつぶれてしまう。これに対してグレー領域を多くなるように色分類した場合、例えば色相がブルーでは画像全体が暗くなってしまうのである。
【０００９】
本発明は、上記の課題を解決するためになされたもので、色相の特性に適した色分類が可能な色分類装置、色分類方法、画像形成装置を提供することを目的とする。
【課題を解決するための手段】
【００１０】
本発明は、上記目的を達成するために以下の手段を採用している。すなわち本発明における色分類装置においては、入力されたカラー画像データを構成する単位データの色相を判定する色相判定手段と、単位データの彩度を判定する彩度判定手段と、複数に分割された色相毎に閾値を記憶する閾値記憶手段と、判定された色相とあらかじめ指定された色相とを比較する色相比較手段と、判定された彩度と判定された色相に対応する上記閾値とを比較する彩度比較手段と、色相比較手段による比較結果と彩度比較手段による比較結果とに基づいて単位データを抽出色か非抽出色かに分類する分類手段とを備える。
【００１１】
この構成では、色相の特性に適した色分類が可能となり、表現力豊かな二色画像を提供することが可能となる。
【００１２】
また、抽出色に分類された単位データと非抽出色に分類された単位データとをそれぞれ異なる色に変換する変換手段と、変換手段にて変換された単位データを出力する出力手段とを備えた構成としてもよい。
【００１３】
さらに、このような色分類装置を有する画像形成装置や装置の処理手順にて実現される色分類方法も提供する。
【発明の効果】
【００１４】
分割された色相毎に閾値を設け、これに基づいて色相（色）を分類することにより、色相の特性に適した色分類が可能となり、表現力豊かな二色画像を提供することが可能となる。
【発明を実施するための最良の形態】
【００１５】
以下、添付図面を参照して、本発明の実施の形態につき説明し、本発明の理解に供する。尚、以下の実施の形態は、本発明を具体化した一例であって、本発明の技術的範囲を限定する性格のものではない。
【００１６】
以下、本発明に係る画像形成装置１０１について説明する。
【００１７】
図１は、画像形成装置１００の概略模式図である。ただし、本発明に直接には関係しない各部の詳細は省略している。
【００１８】
本発明の画像形成装置１００は、例えばプリンタやスキャナ単体、あるいはプリンタ、コピー、スキャナ、ファックス等を備えた複合機等が該当する。
【００１９】
なお、一例として複合機を利用して原稿のコピーを行う際の画像形成装置の動作を簡単に説明する。
【００２０】
ユーザが複合機を利用して例えば原稿の印刷を行う場合、原稿を図１に示す原稿台１０３、或いは載置台１０５に配置し、原稿台近傍に供えられた操作パネルに対して印刷の指示を行う。当該指示があると、以下に示す各部（駆動部）が動作することで、印刷が行われる。
【００２１】
即ち、図１に示すように、本実施の形態の画像形成装置１００は、本体１０１と、本体１０１の上方に取り付けられたプラテンカバー１０２を備える。本体１０１の上面は原稿台１０３が設けられており、原稿台１０３は、プラテンカバー１０２によって開閉されるようになっている。プラテンカバー１０２は、自動原稿給紙装置１０４と載置台１０５と排紙台１０９が設けられている。
【００２２】
自動原稿給紙装置１０４は、プラテンカバー１０２の内部に形成された原稿搬送路１０８と、プラテンカバー１０２の内部に備えられたピックアップローラ１０６や搬送ローラ１０７等で構成される。原稿搬送路１０８は、載置台１０５から、本体１０１に設けられた読取部１１０にて読み取りが行なわれる読取位置Ｐを経由して、排紙台１０９に通じる原稿の搬送路である。
【００２３】
自動原稿給紙装置１０４は、載置台１０５に載置された原稿１枚ずつをピックアップローラ１０６で搬送路内１０８に引き出し、搬送ローラ１０７等によって引き出した原稿を、読取位置Ｐを通過させて排紙台１０９に排紙する。読取位置Ｐを通過する時に原稿は読取部１１０にて読み取られる。
【００２４】
上記読取部１１０は、原稿台１０３の下方に設けられており、図２にその詳細が示されている。読取部１１０は、原稿台１０３を照射する主走査方向に長い光源１１１と、原稿台からの光を選択的に通過させるスリット１１６と、原稿台からの光を導くミラー１１２とを備える第一の移動キャリッジ１１７や、第一の移動キャリッジ１１７からの反射光を再度反射するミラー１１３A、１１３Bを備える第二の移動キャリッジ１１８、さらにミラーで導かれた光を光学的に補正するレンズ群１１９、当該レンズ群１１９より補正された光を受光する撮像素子１１５、撮像素子にて受光した光を電気信号に変換し、必要に応じて補正・修正などを行う画像データ生成部１１４とで構成されている。
【００２５】
自動原稿給紙装置１０４上の原稿を読み取る場合には、光源１１１は、読取位置Ｐを照射できる位置に移動して発光する。光源１１１からの光は、原稿台１０３を透過して読取位置Ｐを通過する原稿にて反射し、スリット１１６、ミラー１１２、１１３A、１１３B、レンズ群１１９によって撮像素子１１５に導かれる。撮像素子１１５は、受光した光を電気信号に変換して画像データ生成部１１４に送信する。画像データ生成部１１４には、上記撮像素子１１５にて受光された光がＲ（レッド）、Ｇ（グリーン）、Ｂ（ブルー）のアナログ電気信号として入力され、ここでアナログ−デジタル変換され、即ちデジタル化される。さらに、画像データ生成部１１４では、順次変換されたデジタル信号を単位データとし、これら単位データを補正、修正等することで複数の単位データからなる画像データを生成する。
【００２６】
また、読取部１１０は、自動原稿給紙装置１０４で搬送される原稿だけでなく、原稿台１０３に載置された原稿も読み取ることが可能となっている。原稿台１０３に載置された原稿を読み取る場合は、第一のキャリッジ１１２は、光源１１１を発光しながら副走査方向に移動し、光源１１１から撮像素子１１５までの光路長を一定にするために、第二の移動キャリッジ１１８は第一の移動キャリッジ１１７の１／２の速度で撮像素子１１５方向に移動する。
【００２７】
撮像素子１１５は、自動原稿給紙装置１０４に搬送された原稿のときと同様に、ミラー１１２、１１３Ａ、１１３Ｂに導かれた光に基づいて原稿台１０３に載置された原稿からの光を電気信号に変換し、これに基づいて画像データ生成部１１４が画像データを生成する。
【００２８】
本体１０１の読取部１１０の下方には、画像データを印刷する印刷部１２０を備えている。印刷部１２０が印刷できる画像データは、上記のように画像データ生成部１１４にて生成されたものや、その他画像形成装置１００とＬＡＮ等のネットワークに接続されたパソコン等の端末から送信されたものである。
【００２９】
印刷部１２０が行う印刷方式には、電子写真方式が用いられている。即ち、感光ドラム１２１を帯電器１２２で一様に帯電させ、その後レーザ１２３で感光ドラム１２１を照射して感光ドラム１２１に潜像を形成し、現像器１２４で潜像にトナーを付着させて可視像を形成し、転写ローラにて可視像を用紙に転写する方式である。
【００３０】
なお、フルカラー画像に対応した画像形成装置では、上記現像器（ロータリー現像器）１２４が、図１の紙面に対して垂直方向に構成される回転軸を中心として周方向に回転させられ、対応する色のトナーが格納された現像ユニットが感光ドラム１２１の対向位置に配置される。この状態で、感光ドラム１２１上の潜像が、現像器１２４が格納するトナーにより現像され、中間転写ベルト１２５Ａに転写される。なお、現像器１２４は、イエロー（Ｙ）、シアン(Ｃ)、マゼンタ(Ｍ)、ブラック(Ｋ)の各トナーをそれぞれ格納する４つの現像ユニット１２４（Ｙ）、(Ｃ)、(Ｍ)、(Ｋ)を有している。上記中間転写ベルト１２５Ａへの転写を上記各色毎に繰り返すことにより、当該中間転写ベルト１２５Ａ上にフルカラー画像が形成される。
【００３１】
可視像が印刷される用紙は、手差しトレイ１３１、給紙カセット１３２、１３３、１３４などの給紙トレイに載置されたものである。
【００３２】
印刷部１２０が印刷を行う際には、何れか１つの給紙トレイから用紙１枚を、ピックアップローラ１３５を用いて引き出し、引き出した用紙を搬送ローラ１３７やレジストローラ１３８で中間転写ベルト１２５Ａと転写ローラ１２５Ｂの間に送り込む。
【００３３】
印刷部１２０は、中間転写ベルト１２５と転写ローラ１２５の間に送り込んだ用紙に、上記中間転写ベルト１２５上の可視像を転写すると、可視像を定着させるために、搬送ベルト１２６で定着装置１２７に用紙を送る。定着装置１２７は、ヒータが内蔵された加熱ローラ１２８と、所定の圧力で加熱ローラ１２８に押し当てられた加圧ローラ１２９とで構成されている。加熱ローラ１２８と加圧ローラ１２９の間を用紙が通過すると、熱と用紙への押圧力によって可視像が用紙に定着する。印刷部１２０は、定着装置１２７を通過した用紙を排紙トレイ１３０に排紙する。
【００３４】
以上が、画像形成装置１００における基本的なコピーサービスの処理である。
【００３５】
なお、上記画像形成装置１００では、図３の概略構成図に示すように、ＣＰＵ（Central Processing Unit）３０１、ＲＡＭ（Random Access Memory）３０２、ＲＯＭ（Read Only Memory）３０３、ＨＤＤ（Hard Disk Drive）３０４及び上記印刷処理における各駆動部に対応するドライバ３０５が内部バス３０６を介して接続されている。上記ＣＰＵ３０１は、例えばＲＡＭ３０２を作業領域として利用し、ＲＯＭ３０３やＨＤＤ３０４等に記憶されているプログラムを実行し、当該実行結果に基づいて上記ドライバ３０５とデータや命令を授受することにより上記図１、図２に示した各駆動部３０７の動作を制御する。
【００３６】
続いて、本発明に係る色分類手段４００の詳細について説明する。
【００３７】
色分類手段４００は、例えば上記画像データ生成部１１４内に設けられ、あるいは画像データ生成部１１４に接続される色分類装置として提供することができる。
【００３８】
上記色分類手段４００は、カラー原稿を二色画像として出力する際に、カラー原稿を構成する単位データを二色に分類する処理を行う。なお、カラー原稿から抽出すべき色（抽出色）、及び抽出した色を出力する二つの色（第一の出力色及び第二の出力色）は、印刷前にユーザが選択することができる。例えば、カラー原稿のブルー部分を抽出したい場合、原稿台近傍に供えられた操作パネルより「抽出色＝ブルー」との設定を行う。当該設定は、後述する抽出色記憶手段４０７に格納される。
【００３９】
また、抽出色「ブルー」を「レッド」で出力したい場合には、ユーザは操作パネルより、第一の出力色として「レッド」を選択する。選択された第一の出力色は、後述する第一の出力色記憶手段４１１に格納される。なお、ここでは第二の出力色を「グレー（無彩色）」に固定されているものとし、当該「グレー」が後述する第二の出力色記憶手段４１２に記憶されているものとする。
【００４０】
さて、色分類手段４００が、データ生成部１１４よりＲＧＢを基礎とするカラー画像データを画像データ入力手段４０１にて取得すると、当該カラー画像データを例えばイエロー（Ｙ）、シアン(Ｃ)、マゼンタ(Ｍ)からなる濃度画像データに変換する。当該変換は従来より利用される所定の変換式により行われるため、詳細は省略する。なお、上記画像データ入力手段４０１は、例えばネットワークを介して送信された画像データを入力した場合には当該画像データについて上記変換を行うことにより、送信されたデータについてもデータ生成部１１４からの入力と同様に扱うことができる。
【００４１】
上記画像データ入力手段４０１にて入力・変換された濃度画像データは、各単位データ毎に色相判定手段４０２、彩度判定手段４０３に入力され、単位データ毎に色相、彩度が算出される。
【００４２】
例えば、色相を算出する場合、以下のように行われる。
【００４３】
まず、色相判定手段４０２は、単位データ（Ｃ，Ｍ，Ｙ）が入力されると、その最大値（ＭＡＸ）、最小値（ＭＩＮ）、最大値と最小値の差分値（ＭＡＸＭＩＮ）を算出する。なお、Ｃ，Ｍ，Ｙはそれぞれ例えば８ビットで表される０〜２５５までの値である。
１）ここで、Ｍ、Ｙに比してＣが最小値、且つＭＡＸＭＩＮ≠０であり、
さらに、Ｙ＞Ｍの場合
色相値＝４２＋（Ｙ−Ｍ）×４２÷ＭＡＸＭＩＮ    と算出される。
【００４４】
また、Ｙ＜＝Ｍの場合
色相値＝４２−（Ｍ−Ｙ）×４２÷ＭＡＸＭＩＮ    と算出される。
【００４５】
また、ＭＡＸＭＩＮ＝０の場合
色相値＝４２  と算出される。
２）なお、Ｃ、Ｙに比してＭが最小値、且つＭＡＸＭＩＮ≠０であり、
さらに、Ｃ＞Ｙの場合
色相値＝１２７＋（Ｃ−Ｙ）×４２÷ＭＡＸＭＩＮ    と算出される。
【００４６】
また、Ｃ＜＝Ｙの場合
色相値＝１２７−（Ｙ−Ｃ）×４２÷ＭＡＸＭＩＮ    と算出される。
【００４７】
また、ＭＡＸＭＩＮ＝０の場合
色相値＝１２７  と算出される。
３）また、Ｃ、Ｍに比してＹが最小値、且つＭＡＸＭＩＮ≠０であり、
さらに、Ｍ＞Ｃの場合
色相値＝２１２＋（Ｍ−Ｃ）×４２÷ＭＡＸＭＩＮ    と算出される。
【００４８】
また、Ｍ＜＝Ｃの場合
色相値＝２１２−（Ｃ−Ｍ）×４２÷ＭＡＸＭＩＮ    と算出される。
【００４９】
また、ＭＡＸＭＩＮ＝０の場合
色相値＝２１２  と算出される。
【００５０】
以上により、単位データの色相値が色相判定手段４０２により算出される。算出される色相値は、０〜２５５までの２５６個の値をとり得る。
【００５１】
また、彩度判定手段４０３は、単位データ（Ｃ，Ｍ，Ｙ）が入力されると、その最大値（ＭＡＸ）、最小値（ＭＩＮ）、最大値と最小値の差分値（ＭＡＸＭＩＮ）を算出する。
【００５２】
そして、ＭＡＸＭＩＮが０でない場合、
彩度値＝ＭＡＸＭＩＮ×２５５÷ＭＡＸ    と算出される。
【００５３】
ＭＡＸＭＩＮが０の場合、
彩度値＝０  と算出される。
【００５４】
以上により、単位データの彩度値が彩度判定手段４０３により算出される。算出された彩度値は、０〜２５５までの２５６個の値をとり得る。
【００５５】
上記算出により、単位データの色相値、彩度値が算出される。当該算出された各値の集合は、図５の色相円で表現することができる。即ち、例えば上記算出された色相値は、図５の色相円における円周方向の値として表現することができ、ここでは起点５０１を色相値０として、円周方向時計回りに２５６分割された色相のグループが表されている。終点５０２では色相値は２５５となる。
【００５６】
また、彩度値は、上記色相円の中心５０３から円周までを２５６等分した際の位置を示し、中心５０３が彩度値０となり、円周上が彩度値２５５となる。
【００５７】
ところで、二色画像において特にカラー領域とグレー領域との境界が重要である点は上述したとおりである。また、人の目は色相によってグレー領域の適正度合いが異なる点も上述したとおりである。例えば、図５に示す略楕円形状５０４が、二色画像において最も適したグレーの適正領域を示している。なお、上記略楕円形状５０４は例示であり、適正領域は他の形状で示される場合もあるが、ここでは上記略楕円形状が適正領域を示しているものとして説明する。
【００５８】
上述したように、色相領域によってグレー領域の適正度合いが異なるため、本願における色分類手段４００では、上記適正領域に基づいて、単位データを判定している。
【００５９】
即ち、上記色相判定手段４０２により判定（算出）された単位データの色相は、彩度比較手段４０５及び色相比較手段４０６に入力される。
【００６０】
色相値が入力された色相比較手段４０６では、当該色相値と抽出色記憶手段４０７より取得した、ユーザにより指定された抽出色とを比較する。
【００６１】
ここでは、抽出色記憶手段４０７に記憶された抽出色が「ブルー」であるため、色相比較手段４０６は、ブルーに関する色相判定テーブル図６を利用して、単位データが「ブルー」に該当するか否かを判定する。ここでは、ブルーは色相値では、１５４〜１８８の範囲に該当するように定義されている。
【００６２】
つまり、上記色相比較手段４０６は、色相判定手段４０２から入力された色相値が、図６に示す１５４〜１８８の範囲内であれば、抽出色に該当する旨を示す例えば「１」を分類手段４０９に出力する。また、入力された色相値が１５４〜１８８の範囲内でなければ、非抽出色に該当する旨を示す例えば「０」を分類手段４０９に出力する。上記色相比較手段４０６の処理により、図７に示す領域７０１及び領域７０２が一旦、抽出色と判定される。なお、他の色が選択されている場合には、当該他の色に対応するテーブルが利用される。
【００６３】
また、色相判定手段４０２より単位データの色相値を取得し彩度判定手段４０３より単位データの彩度値を取得した彩度比較手段４０５は、閾値記憶手段４０８より、色相判定手段４０２より取得した色相値に対応する閾値を取得する。当該閾値は、分割された２５６個の色相値それぞれに対して設けられており、即ち２５６個の閾値があらかじめ記憶されている。閾値は、中心５０３を「０」とし、円周上を「２５５」とした場合の、中心５０３からの距離（座標）を示し、色相値に対応する閾値を結ぶことで略楕円形状５０４の周（輪郭）を形成する。
【００６４】
彩度比較手段４０５は、入力された色相値に基づいて対応する閾値を閾値記憶手段４０８より取得し、取得した閾値と彩度値とを比較する。
【００６５】
ここで、彩度値が閾値より大きい場合、その旨を示す例えば「１」を分類手段４０９に送信する。つまり、「１」が出力された場合には、図７に示す略楕円形状（ＧＲＡＹ領域）５０４に該当しないことを意味する。
【００６６】
また、彩度値が閾値より小さい場合、その旨を示す例えば「０」を分類手段４０９に送信する。つまり、「０」が出力された場合には、図７に示す略楕円形状５０４に該当することを意味する。
【００６７】
続いて、上記色相比較手段４０６からの比較結果、及び彩度比較手段４０５からの比較結果を取得すると、２つの比較結果に基づいて、単位データを抽出色か非抽出色かに分類する。
【００６８】
例えば、色相比較手段４０６からの比較結果が「１」であり、且つ彩度比較手段４０５からの比較結果が「１」である場合、色相値はユーザが選択した抽出色のグループに該当し、しかも彩度値はＧＲＡＹ領域に該当しないことを意味する。つまり、単位データは図７に示す領域７０１に属することを意味し、抽出色と判定する。
【００６９】
また、色相比較手段４０６からの比較結果及び彩度比較手段４０５からの比較結果のいずれか一方あるいは双方が「０」である場合、単位データが領域７０１以外の領域に属することを意味し、非抽出色と判定する。
【００７０】
続いて、上記判定は変換手段４１０に送信され、変換手段４１０は、出力色の変換を行う。当該変換は、例えば以下のように行われる。まず、非抽出色と判定された場合、第二の出力色記憶手段４１２に記憶されている色（グレーの場合には厳密には色相には該当しないため、グレーを含む場合には色相を色と表現している）、即ちグレーに変換する。
【００７１】
また、抽出色と判定された場合、ユーザにより選択され、第一の出力色記憶手段４１１に記憶されている色、即ちレッドに変換する。
【００７２】
変換手段４１０にて変換された単位データは、出力手段４１３にて単位データ毎に、又はすべての単位データが変換されるまで維持されて変換画像データとして出力される。
【００７３】
出力された単位データ又は変換画像データは、上述した印刷部１２０に送信され、変換後の二色画像として印刷される。
【００７４】
以上のように、分割された色相毎に閾値を設け、これに基づいて二色画像を生成している。これにより、色相の特性に適した色分類が可能となり、表現力豊かな二色画像を提供することが可能となる。
【００７５】
なお、上記変換手段４１０が変換する際の色については、色相の変換のみを説明し、彩度や輝度については言及していない。彩度や輝度は出力時に互いに影響し、また、その装置が使用している各色トナー（ＣＭＹＫ）の特性にも影響されるため、これらを踏まえて装置独自の変換が行われるものである。よって本願は、彩度や輝度の変換については限定していないが、ユーザが選択した抽出色や出力色に応じて、変換手段が彩度や輝度を変換してもよいことは言うまでもない。
【００７６】
また、変換手段は、抽出色をユーザが指定した出力色に変換しているが、指定された抽出色のままでもよい。
【産業上の利用可能性】
【００７７】
本発明に係る色分類装置、色分類方法及び画像形成装置は、色相の特性に適した色分類が可能となり、表現力豊かな二色画像を提供することが可能な色分類装置、色分類方法及び画像形成装置として有用である。
【図面の簡単な説明】
【００７８】
【図１】本発明に係る画像形成装置の概略模式図。
【図２】読取部の拡大図。
【図３】本発明に係る画像形成装置の概略構成図。
【図４】本発明に係る画像形成装置の概略機能ブロック図。
【図５】色相円を示す図。
【図６】色相分類テーブルを示す図。
【図７】色相円の抽出領域、非抽出領域を示す図。
【符号の説明】
【００７９】
４００  色分類手段
４０１  画像データ入力手段
４０２  色相判定手段
４０３  彩度判定手段
４０５  彩度比較手段
４０６  色相比較手段
４０７  抽出色記憶手段
４０８  閾値記憶手段
４０９  分類手段
４１０  変換手段
４１１  第一の出力色記憶手段
４１２  第二の出力色記憶手段
４１３  出力手段
【図１】
2007228115.tif 000003
【図２】
2007228115.tif 000004
【図３】
2007228115.tif 000005
【図４】
2007228115.tif 000006
【図５】
2007228115.tif 000007
【図６】
2007228115.tif 000008
【図７】
2007228115.tif 000009